(57)【要約】【課題】扉反りを防止しつつ扉端面での結露発生を防止した高品質の冷蔵庫の提供。【解決手段】扉縁枠２４内面に枠補強金具３４を設けるとともに、上記枠補強金具３４と内フレーム２３外周のガスケット３１の脚部３２との間に所定の断熱層３７を設けた構成としてある。これにより、ガスケット３１の脚部３２と枠補強金具３４との間の断熱層３７がガスケット３１から枠補強金具３４への低温リークを抑制し、枠補強金具低温化による扉縁枠表面での結露を防止できるとともに、扉縁枠内には枠補強金具が装着してあるので扉反り変形も防止することができる。【選択図】図８
2015203510.tif 000002
【特許請求の範囲】
【請求項１】
断熱性の冷蔵庫本体と、前記冷蔵庫本体の貯蔵室を開閉する断熱性の扉と、を備え、前記扉は、その扉前面を構成する扉外装板と、扉外装板の内側に位置する内フレームと、前記扉外装板と内フレームとの間の外周面を構成する扉縁枠と、前記扉外装板と内フレームと扉縁枠との間の空間に充填発泡させた発泡断熱材で構成し、前記扉縁枠の縦枠内面には枠補強金具を配置するとともに前記枠補強金具と前記内フレーム外周に配置したガスケット脚部との間に所定の断熱層を設けたことを特徴とする冷蔵庫。
【請求項２】
枠補強金具はガスケットと反対の扉外装板側を略Ｌ字状とするとともに、扉縁枠に埋め込み装着したガスケット側に位置する端縁は前記脚部の頂点部よりも扉縁枠側までの位置として、前記ガスケットの脚部と枠補強金具との間に発泡断熱材による断熱層を形成した請求項１記載の冷蔵庫。
【請求項３】
枠補強金具は断面略コ字状としてガスケット側の端縁も略Ｌ字状としその端縁をガスケットの脚部の頂点部よりも扉縁枠側までの寸法とするとともに、前記ガスケットと反対の扉外装板側のＬ字状片部はガスケット側のＬ字状片部幅寸法より長い寸法とした請求項１または２記載の冷蔵庫。
【請求項４】
枠補強金具はその扉外装板側のＬ字状片部の端縁を扉外装板側に向けて折り曲げ形成したリブを有する請求項２または３記載の冷蔵庫。
【請求項５】
扉は扉外装板と内フレームとの間の発泡断熱材中に真空断熱板を備えた構成とした請求項３または４記載の冷蔵庫。
【請求項６】
扉は扉外装板を透明板、扉縁枠を樹脂で構成するとともに、前記扉外装板を発泡断熱材で接着一体化した請求項１〜５のいずれか１項記載の冷蔵庫。
【発明の詳細な説明】
【技術分野】
【０００１】
本発明は冷蔵庫に関するものである。
【背景技術】
【０００２】
一般に冷蔵庫は、断熱性を有する冷蔵庫本体内に冷蔵室、冷凍室、野菜室等の貯蔵室を設け、これら各冷蔵室、冷凍室、野菜室等は扉によって開閉可能に構成してある。
【０００３】
上記扉は、冷蔵庫本体の前面となる扉外装板と、冷蔵室、冷凍室、野菜室等の内面となる内フレームと、これら扉外装板と内フレームとを一体に連結する枠体との間にウレタンを充填発泡させて、冷蔵庫本体と同様断熱性を有するように構成してある。
【０００４】
このような冷蔵庫扉は、ウレタンの充填発泡後、当該発泡ウレタンの熱収縮によって扉外装板の外周部が内側に反る変形が生じる。これはウレタン発泡工程で膨張したウレタンが、工程終了後、熱収縮するが、その熱収縮は外周部ほど大きく、その際、扉外装板はさほど熱収縮しないので、その外周部は発泡ウレタンとの接着によって当該発泡ウレタンの熱収縮に引っ張られて反り変形するのであった。
【０００５】
更に、この反り変形は、冷蔵庫の運転によってもわずかではあるが経年的に進行していく。すなわち冷蔵庫の運転によって、発泡ウレタンは、扉内側では冷却され熱収縮するのに対し、扉外側では外気温とほぼ同じ温度となっていてそのままであるため、扉外周部が扉内側に向かって反るような形に変形が進行していくのであった。
【０００６】
この反り変形は前記扉成形時の反りを含めても２ｍｍ程度と極めて少ないものであるが、冷蔵室の扉のように面積の大きな扉にあっては使用者が気づくレベルのものになり、意匠性を低下させてしまうと同時に、場合によっては扉外周部に装着してあるガスケットと冷蔵庫本体との間に微小隙間を発生させて省エネ性を低下させてしまう恐れがある。
【０００７】
そこでこのような扉の反り変形を防止すべく扉の外周面を構成する扉縁枠の内面に枠補強金具を設けたものが見られる（例えば特許文献１、特許文献２参照）。
【０００８】
図９は特許文献１の扉を示し、扉を構成する扉縁枠１０１の内面に枠補強金具１０２が設けてある。また、図１０は特許文献２の扉を示し、この扉はその扉縁枠２０１に枠補強金具２０２を装着するとともにこれら左右の枠補強金具２０２を連結するメイン補強金具２０３を更に設けてある。
【０００９】
このような枠補強金具１０２、２０２、２０３を設けた扉は発泡ウレタンの成型時の熱収縮や経年的な熱収縮があっても扉の反り変形を抑制することができる、というものである。
【先行技術文献】
【特許文献】
【００１０】
【特許文献１】特開平２−２７５２７９号公報
【特許文献２】特開２０１３−１６０３８８号公報
【発明の概要】
【発明が解決しようとする課題】
【００１１】
しかしながら、上記従来の扉縁枠に補強金具を設けたものは冷蔵庫使用環境が高湿高温
時にその扉縁枠面に結露が発生しやすい傾向があった。
【００１２】
すなわち、図１１の参考図に示すように扉の扉縁枠３０３はその内面に扉閉成時における気密性確保のためのガスケット３０４が装着してあって、そのガスケット３０４の脚部３０５が扉縁枠３０３に埋め込まれている。一方、前記扉縁枠３０３の内面には枠補強金具３０６が設けてあって当該枠補強金具３０６は強度確保のため断面略コ字状に形成してあり、このコ字状片部３０６ａが前記ガスケット３０４の脚部３０５に近接することになる。そして、上記ガスケット３０４は扉で閉成した貯蔵室内の冷気によって低温化している。そのため、上記ガスケット３０４の低温がガスケット３０４の脚部３０５を介して枠補強金具３０６のコ字状片部３０６ａにリークしやすく、枠補強金具３０６が低温化してその外面に位置する扉縁枠温度も比較的低い温度になりがちであり、通常は結露が生じるほどではないにしても高温高湿時には扉縁枠表面に結露が生じるのであった。
【００１３】
特に図１１に示したように両開き式扉の突合せ面はこれら両扉の間の気密を確保するための回転式仕切板３０７の断熱性が冷蔵庫本体を構成する発泡ウレタン等に比べ低く、しかも貯蔵室内の冷気が回転式仕切板３０７の両側部を介して直接ガスケット３０４に接するため、ガスケット３０４の温度がそれ以外の外周部分のガスケットの温度に比べ低温化しやすく、結露発生を引き起こしやすい傾向にあった。
【００１４】
本発明はこの様な点に鑑みてなしたもので、扉反りを防止しつつ扉端面での結露発生を防止した高品質の冷蔵庫を提供するものである。
【課題を解決するための手段】
【００１５】
本発明は上記目的を達成するため、その扉は、扉縁枠内面に枠補強金具を設けるとともに、上記枠補強金具と前記内フレーム外周のガスケット脚部との間に所定の断熱層を設けた構成としてある。
【００１６】
これにより、ガスケットの脚部と枠補強金具との間の断熱層がガスケットから補強金具への低温リークを抑制し、枠補強金具低温化による扉縁枠表面での結露を防止できるとともに、扉縁枠内には枠補強金具が装着してあるので扉反り変形も防止することができる。
【発明の効果】
【００１７】
本発明は、扉の反り変形を防止すると同時に扉縁枠表面の結露発生も防止することができ、高品質の冷蔵庫を提供することができる。
【図面の簡単な説明】
【００１８】
【図１】本発明の実施の形態１における冷蔵庫の外観斜視図
【図２】同冷蔵庫の概略断面図
【図３】同冷蔵庫の扉の一つを示す斜視図
【図４】同扉を内面側から見た斜視図
【図５】同扉の分解斜視図
【図６】同図３のＡ−Ａ断面図
【図７】同冷蔵庫の観音開き扉の図３Ｂ−Ｂ線相当断面図
【図８】同図７の要部拡大断面図
【図９】従来の冷蔵庫における扉の分解斜視図
【図１０】従来の他の冷蔵庫における扉の断面図
【図１１】従来の更に他の冷蔵庫における扉の断面図
【発明を実施するための形態】
【００１９】
第１の発明は、断熱性の冷蔵庫本体と、前記冷蔵庫本体の貯蔵室を開閉する断熱性の扉
と、を備え、前記扉は、その扉前面を構成する扉外装板と、扉外装板の内側に位置する内フレームと、前記扉外装板と内フレームとの間の外周面を構成する扉縁枠と、前記扉外装板と内フレームと扉縁枠との間の空間に充填発泡させた発泡断熱材で構成し、前記扉縁枠の縦枠内面には枠補強金具を配置するとともに前記枠補強金具と前記内フレーム外周に配置したガスケットの脚部との間に所定の断熱層を設けた構成としてある。
【００２０】
これにより、ガスケットの脚部と枠補強金具との間の断熱層がガスケットから補強金具への低温リークを抑制し、枠補強金具低温化による扉縁枠表面での結露を防止できるとともに、扉縁枠内には枠補強金具が装着してあるので扉反り変形も防止することができる。
【００２１】
第２の発明は、第１の発明において、枠補強金具はガスケットと反対の扉外装板側を略Ｌ字状とするとともに、扉縁枠に埋め込み装着したガスケット側に位置する端縁は前記脚部の頂点部よりも扉縁枠側までの位置として、前記ガスケットの脚部と枠補強金具との間に発泡断熱材による断熱層を形成した構成としてある。
【００２２】
これにより、ガスケットの脚部と枠補強金具との間の寸法が大きくなってこれらの間に発泡ウレタンの断熱層が形成され、ガスケットの低温が補強金具にリークするのを抑制することになり、枠補強金具低温化による扉縁枠表面での結露を防止できるとともに、扉縁枠内には略Ｌ字状として強度向上させた枠補強金具が位置しているので扉反り変形もより確実に防止することができる。
【００２３】
第３の発明は、第１または第２の発明において、枠補強金具は断面略コ字状としてガスケット側の端縁も略Ｌ字状としその端縁をガスケットの脚部の頂点部よりも扉縁枠側までの寸法とするとともに、前記ガスケットと反対の扉外装板側のＬ字状片部はガスケット側のＬ字状片部幅寸法より長い寸法とした構成としてある。
【００２４】
これにより、枠補強金具はガスケット側の端縁に設けたＬ字状片部と扉外装板側のＬ字状片部により断面略コ字状となってその強度が向上し、しかもガスケット側Ｌ字状片部の長さが短いことによる強度確保不足をこれよりも長い寸法の扉外装板側Ｌ字状片部が補うことになって枠補強金具の強度を十分なものとすることができ、ガスケットの脚部とＬ字状片部との間の冷熱リーク抑制を良好なものとしつつ扉反り変形を確実に防止することができる。
【００２５】
第４の発明は、第２または第３の発明において、枠補強金具はその扉外装板側のＬ字状片部の端縁を扉外装板側に向けて折り曲げ形成したリブを有する構成としてある。
【００２６】
これにより、枠補強金具はその長手方向に折り曲げ部をＬ字状片部とリブとの２箇所以上持つことになって長手方向の剛性が更に向上し、扉の縦方向の変形を強力に防止できる。特に冷蔵庫の大型化に伴い扉も大型化しているものにあっては、扉の熱収縮による変形はガラス板等で構成される扉外装板と樹脂で構成される内フレーム及び発泡断熱材の材料との熱収縮率差から扉外装板に近いほど変形量が多く曲げモーメントがかかりやすいので、扉外装板に近い方にリブを設けたことでより効率よく扉の変形を防止でき、効果的である。
【００２７】
第５の発明は、第３または第４の発明において、扉は扉外装板と内フレームとの間の発泡断熱材中に真空断熱板を備えた構成としてある。
【００２８】
これにより、扉の断熱効果を高めつつ真空断熱板による補強効果も加わって扉の反り変形をより一層効果的に防止出きると同時に、枠補強金具のガスケット側、すなわち内フレーム側のＬ字状片部幅寸法は短いものであるから、このＬ字状片部の端縁と真空断熱板と
の間の間隔を十分確保して発泡断熱材の充填流れを良好なものとすることができ、扉縁枠付近の発泡断熱材の充填密度を良好な状態にして扉縁枠部分の断熱性を大幅に向上させ、真空断熱板による断熱性アップと相まって扉縁枠部分での結露防止効果を高めることができる。
【００２９】
第６の発明は、第１〜第５の発明において、扉は扉外装板を透明板、扉縁枠を樹脂で構成するとともに、前記扉外装板を発泡断熱材で接着一体化した構成としてある。
【００３０】
これにより、透明板を用いて扉外観を質感の高い良好なものとすることができるとともに、発泡断熱材による透明前板の接着一体化によって透明板の周縁部をそのまま露出状態とし透明板挿入保持部のない意匠性の更に高いものとして、なおかつ扉反り変形や結露発生のない冷蔵庫とすることができる。
【００３１】
以下、本発明の実施の形態について、図面を参照しながら説明する。なお、この実施の形態では扉外装板としてガラス板等の透明板を用いたものを例にして説明するが、これによって本発明が限定されるものではない。
【００３２】
（実施の形態１）
図１は本発明の実施の形態１における冷蔵庫の外観斜視図、図２は同冷蔵庫の概略断面図、図３は同冷蔵庫の扉の一つを示す斜視図、図４は同扉を内面側から見た斜視図、図５は同扉の分解斜視図、図６は同図３のＡ−Ａ断面図、図７は同冷蔵庫の観音開き扉の図３Ｂ−Ｂ線相当断面図、図８は同図７の要部拡大断面図同冷蔵庫の概略断面図である。
【００３３】
図１、図２において、冷蔵庫本体１は、前方に開口する金属製（例えば鉄板）の外箱２と、硬質樹脂製（例えばＡＢＳ）の内箱３と、これら外箱２と内箱３との間に発泡充填した硬質の発泡ウレタン４からなる。上記冷蔵庫本体１はその内部に、冷蔵室５と、冷蔵室５の下に位置する切替室６及び切替室６に並設した製氷室７と、切替室６及び製氷室７の下部に位置する冷凍室８と、冷凍室８の下部に位置する野菜室９とを有する。また、前記冷蔵室５の前面は、例えば観音開き式の扉１０，１０により開閉自在とし、切替室６及び製氷室７と冷凍室８と野菜室９の前面部は引き出し式の扉１１，１２，１３，１４によって開閉自在としてある。
【００３４】
冷蔵庫本体１の背面には冷却室１６があり、冷気を生成する冷却器１７と、冷気を各室に供給する送風ファン１８とが設けてある。また、上記冷蔵庫本体１の本体天面奥部には圧縮機１９が設けてあり、コンデンサ（図示せず）と、放熱用の放熱パイプ２０と、キャピラリーチューブ２１と、前記した冷却器１７とを順次環状に接続してなる冷凍サイクルに冷媒を封入し、冷却運転を行うように構成してある。
【００３５】
ここで、上記各扉１０〜１４は冷蔵庫本体１と同様硬質のウレタンを充填発泡させて断熱性を持たせて長方形に形成してあり、更に意匠性を向上させるべくその前面外装板をガラス板等の透明前板で構成してある。
【００３６】
以下、観音開き式の扉１０の場合を例にしてその構成について図３〜図７を用いて説明する。なお、扉１０以外の扉１１〜１４も同様の構成である。
【００３７】
図３〜図７において、２３は冷蔵庫本体１の内側に位置することになる内フレームで、例えばＡＢＳ樹脂で形成してある。２４はこの内フレーム２３の周端面に結合固定した扉縁枠で、同じくＡＢＳ樹脂で形成してある。２５は前記内フレーム２３を覆うようにその扉縁枠２４に積層配置した扉外装板で、この実施の形態では光沢のある強化ガラス板（以下、扉外装ガラス板と称す）で形成してある。
【００３８】
この扉外装ガラス板２５は図５に示すようにその内面に接着剤２６を介して樹脂フィルム２７が貼り付けてあり、この樹脂フィルム２７にヘアーラインのような金属調模様からなる着色層２８が形成してある。これによって、前記扉外装ガラス板２５は、あたかも着色層付きの扉外装ガラス板となる。前記樹脂フィルム２７はこの実施の形態では透明性が高く機械的強度の高いポリエチレンテレフタレートを用いている。
【００３９】
２９は前記扉外装ガラス板２５の樹脂フィルム２７側の面と内フレーム２３と扉縁枠２４との間の空間に充填発泡させた硬質のウレタン等の発泡断熱材で、発泡によって内フレーム２３及び扉縁枠２４とともに前記扉外装ガラス板２５内面の樹脂フィルム２７に接着し、当該樹脂フィルム２７を介して扉外装ガラス板２５を接着保持している。
【００４０】
また、３０は前記内フレーム２３と扉外装ガラス板２５との間のほぼ全域わたって配置した真空断熱板である。
【００４１】
さらに３１は扉外周内面部に装着したガスケットで、図８に示すようにその脚部３２を内フレーム２３内側の発泡断熱材部分まで突入させて成した凹部２３ａに圧入し装着してある。
【００４２】
なお、図中３３は観音開き式扉の扉１０同士間を覆う回転式仕切板で、いずれか一方の扉端面に回転自在に設けてあり、扉閉成時には前記ガスケット３１に圧接して冷蔵室５内の気密を保っている。
【００４３】
ここで、上記のように構成した扉１０はその両側の扉縁枠２４の内面に枠補強金具３４が装着してある。この枠補強金具３４は図８に示すようにこの実施の形態では断面略コ字状に形成してその両端縁にＬ字状片部３５，３６が形成してあり、前記ガスケット３１側に位置するＬ字状片部３５の端縁３５ａは前記ガスケット３１の脚部３２の頂点３２ａよりも扉縁枠２４側までの位置としてその幅寸法ｌを小さくし、前記ガスケッ３１の脚部３２と枠補強金具３４のＬ字状片部３５の端縁３５ａとの間に発泡断熱材２９による幅広の断熱層３７を形成した構成としてある。また、このＬ字状片部３５の端縁３５ａと対応する部分に前記した真空断熱板３０が位置するが、この真空断熱板３０の端縁３０ａとの間の間隔Ｔも広いものとなっている。更にこの枠補強金具３４の扉外装ガラス板２５側に位置するＬ字状片部３６はその幅寸法Ｌをガスケット３１側のＬ字状片部３５の幅寸法ｌより長く設定し、更にその端縁から扉外装ガラス板２５側に向かって折り曲げ形成したリブ３８が設けてある。
【００４４】
なお、本実施の形態においては、前記扉外装ガラス板２５は発泡断熱材２９によって接着一体化しているので、その外周部はこの種ガラス板を用いた場合に用いられるガラス板挿入枠等で覆うことなくそのまま露出させた形態としてある。
【００４５】
また、前記扉外装ガラス板２５はその外周部をあらかじめ扉外側に反らせた状態で発泡断熱材２９を充填発泡させて接着一体化してある。
【００４６】
更に、発泡断熱材２９はその外周部の発泡密度を中央部分の発泡密度より高くして、外周部の収縮度合いが中央部分の収縮度合いより少なくなる構成としてある。この発泡密度差は、例えば、内フレーム２３の発泡ウレタン外周部分に相当する位置に空気抜き孔を設けて、この空気抜き孔部分でウレタンがコア発泡するようにすれば達成できる。
【００４７】
以上のように構成した上記冷蔵庫の扉１０は、扉縁枠２４の内面に装着した枠補強金具３４によって補強され、発泡断熱材２９の成型時の熱収縮や冷蔵庫使用による経年的な熱
収縮があっても扉１０の反り変形を抑制することができる。
【００４８】
ここで、上記枠補強金具３４はこの実施の形態ではガスケット３１側の幅寸法ｌの小さいＬ字状片部３５とこれよりも幅寸法Ｌが大きい扉外装ガラス板２５側に設けたＬ字状片部３６とによって枠補強金具全体が断面略コ字状となっているからその剛性は高く、扉１０の反り変形を効果的に抑制することができる。
【００４９】
更にこの実施の形態では前記ガスケット３１と反対の扉外装ガラス板２５側のＬ字状片部３６はガスケット３１側のＬ字状片部３５の幅寸法ｌより長くしてあるから、ガスケット３１側のＬ字状片部３５の長さが短いことによる強度確保不足をこれよりも長い寸法の扉外装ガラス板２５側のＬ字状片部３６が補うかたちとなって枠補強金具３４の強度を十分なものとすることができ、扉反り変形をより確実に防止することができる。
【００５０】
更に、上記枠補強金具３４はその扉外装ガラス板２５側のＬ字状片部３６の端縁に扉外装ガラス板２５側に向けて折り曲げ形成したリブ３８を設けてあるから、枠補強金具３４はその長手方向に折り曲げ部をＬ字状片部３６とリブ３８との２箇所以上持つことになって長手方向の剛性が更に向上し、扉１０の縦方向の変形を強力に防止できる。特に冷蔵庫の大型化に伴い扉も大型化しているものにあっては、扉１０の熱収縮による変形はガラス板等で構成される扉外装ガラス板２５と樹脂で構成される内フレーム２３及び発泡断熱材２９の材料との熱収縮率差から扉外装ガラス板２５に近いほど変形量が多く曲げモーメントがかかりやすいので、扉外装ガラス板２５に近い方にリブ３８を設けたことでより効率よく扉１０の変形を防止でき、効果的である。
【００５１】
一方、上記枠補強金具３４は冷蔵庫本体１との間の気密性を確保するガスケット３１側のＬ字状片部３５の端縁３５ａはガスケット３１の脚部３２の頂点３２ａよりも扉縁枠２４側までにとどめていてこれら両者間には発泡断熱材２９による比較的幅の広い断熱層３７が形成されているから、ガスケット３１の脚部３２が冷蔵室内冷気によって冷却されていて低温化していても、Ｌ字状片部３５、すなわち枠補強金具３４への低温リークを大幅に抑制することができる。従って、枠補強金具３４の低温化による高温高湿時の扉縁枠２４端面での結露発生を防止することができる。
【００５２】
上記枠補強金具３４のガスケット３１側のＬ字状片部３５はこの実施の形態では強度向上のために設けているが、これは廃止して平坦なままとし扉外装ガラス板２５側のみにＬ字状片部３６を設けた構成としてもよく、これによってガスケット３１の脚部３２と枠補強金具３４との間の断熱層３７の幅寸法をさらに大きなものとすることができて冷熱リークをより効果的に防止でき、結露防止効果を向上させることができる。
【００５３】
また、この実施の形態の扉１０は扉外装ガラス板２５と内フレーム２３との間の発泡断熱材２９中に真空断熱板３０を備えた構成としてあるから、扉１０の断熱効果を高めつつ真空断熱板３０が持つ剛性によって扉の反り変形をより一層効果的に防止出きる。またこの枠補強金具３４のガスケット３１側、すなわち内フレーム２３側のＬ字状片部３５の幅寸法は短いものであるから、このＬ字状片部３５の端縁３５ａと真空断熱板３０との間の間隔Ｔを十分確保して発泡断熱材２９の充填流れを良好なものとすることができ、扉縁枠２４内面付近の発泡断熱材の充填密度を良好な状態にして扉縁枠２４部分の断熱性を大幅に向上させ、真空断熱板３０による断熱性アップと相まって扉縁枠部分での結露防止効果を高めることができる。
【００５４】
なお、この実施の形態では前記扉１０はその前面を構成する扉外装ガラス板２５が前記発泡断熱材２９の熱収縮に抗して平面を維持するようにあらかじめ逆方向にそらせた状態で発泡断熱材を充填発泡硬化させているので、この点からも発泡断熱材２９の熱収縮によ
る扉外装ガラス板２５の反り変形等を防止して平面を保つことができ、より確実に扉反り変形を防止し、かつ、質感の高い冷蔵庫用扉とすることができる。
【００５５】
また、発泡断熱材２９はその発泡密度を中央部分より外周部分のほうが高く（密）なるようにしてある。したがって、発泡断熱材２９の外周部は気泡密度が高い分発泡断熱材を構成するウレタンそのものの量が多くなっている。よって、発泡断熱材２９の外周部分の熱収縮変形は中央部分の熱収縮変形に比べ少ないものとなるから、発泡断熱材全体で見た場合の熱収縮変形は発泡断熱材全面に亘ってほぼ同じ程度となって外周部が反ったような形になりにくい。したがって、扉成形時に扉外装ガラス板２５の反り量を大きくしなくてもその反りが戻ったときには扉外装ガラス板２５は略平面状態とすることができ、その後の発泡断熱材の熱収縮度合いも少なくなるから、この点からも扉外装ガラス板２５の外周部が熱収縮によって反ったような形で変形するのが抑制されることになり、より平坦なものとすることができる。
【００５６】
また、上記のように反り変形を防止した扉外装ガラス板２５は発泡断熱材２９の接着力によって接着保持してガラス板を用いた場合に必要とされるガラス板挿入部等を廃止しその周縁部をそのまま露出状態としているので、ガラス板挿入部の存在によって意匠性を損なうことなく、全面フラット感のあるすっきりとした外観にすることができ、扉反り変形や結露発生を抑えつつ意匠性の高い冷蔵庫とすることができる。
【００５７】
さらに、この冷蔵庫の扉１０は、ヘアーラインのような金属調模様からなる着色層２８が扉外装ガラス板２５及び樹脂フィルム２７からなる透明層の内側に位置するため、着色の色に深みが加わり、その意匠性は金属製あるいは樹脂製の塗装前板に比べると大きく向上する。特にこの実施の形態では前記着色層２８は樹脂フィルム２７に形成しているので、ローラ等によって形成することができ、扉外装ガラス板に直接着色層をシルク印刷するものでは不良率が高くて実質的には得られなかったようなヘアーライン等の精細な模様も形成できて、その意匠性を格段に向上させることができる。
【００５８】
以上、本発明の主な実施形態を説明したが、上記実施の形態は本発明を実施するうえでの一例として示したものであり、本発明の目的を達成する範囲内で種々変更可能であることは言うまでもない。
【００５９】
例えば、本実施の形態ではガスケット３１の脚部３２と枠補強金具３４との間の断熱層３７は枠補強金具３４のガスケット側端部の幅寸法を小さくしてそれらの間に存在する発泡断熱材２９の厚み幅を大きくすることにより形成したものを例示したが、ガスケット３１の脚部３２と枠補強金具３４との間に断熱性の高い部材、例えば真空断熱板を介在させて断熱層としてもよいものである。
【００６０】
また、ガスケット３１の脚部３２との間に断熱層３７を形成する枠補強金具３４のガスケット側端部は実施の形態でも述べたようにＬ字状片部３５を廃止して平坦面のままとしてもよいものである。
【００６１】
さらに、扉１０を構成する扉外装板もガラス板ではなく金属板、或いは透明樹脂板であってもよく、透明樹脂前板にすれば高い質感を持たせつつ軽量化による接着強度の更なる保障が可能となり、しかも低コスト化も図ることができる。
【産業上の利用可能性】
【００６２】
以上のように本発明は、扉の反り変形を防止すると同時に扉縁枠表面の結露発生も防止して、冷蔵庫の品質を高めることができ、一般用はもちろん業務用の冷蔵庫やワインクーラー等にも幅広く適用できる。
【符号の説明】
【００６３】
１  冷蔵庫本体
２  外箱
３  内箱
４  発泡ウレタン
５  冷蔵室
６  切替室
７  製氷室
８  冷凍室
９  野菜室
１０，１１，１２，１３，１４  扉
１６  冷却室
１７  冷却器
１８  送風ファン
１９  圧縮機
２０  放熱パイプ
２１  キャピラリーチューブ
２３  内フレーム
２４  扉縁枠
２５  扉外装板（扉外装ガラス板）
２９  発泡断熱材
３０  真空断熱板
３１  ガスケット
３２  脚部
３２ａ  頂点
３３  回転式仕切板
３４  枠補強金具
３５、３６  Ｌ字状片部
３７  断熱層
【図１】
2015203510.tif 000003
【図２】
2015203510.tif 000004
【図３】
2015203510.tif 000005
【図４】
2015203510.tif 000006
【図５】
2015203510.tif 000007
【図６】
2015203510.tif 000008
【図７】
2015203510.tif 000009
【図８】
2015203510.tif 000010
【図９】
2015203510.tif 000011
【図１０】
2015203510.tif 000012
【図１１】
2015203510.tif 000013